(57)【要約】【課題】本考案は、物品の包装作業効率が良く、包装後の美観を損なうことがない包装材を提供する。【解決手段】素麺束５・５・・・を直方体状の箱体２に収容して包装する際に、箱体２に収容される素麺束５・５・・・を被包する内包装材として用いられる包装材１であって、柔軟なシート状部材にて構成され、箱体２の底面２１の形状に対応した形状に形成された矩形状の底部１１と、底部１１の外周縁部における各辺から外方へ延出する延出片１２・１３とを備え、底部１１の外周縁部における四隅に、それぞれ切り込み１４を形成した。【選択図】図１
0003175928.tif 000002
【実用新案登録請求の範囲】
【請求項１】
物品を直方体状の包装容器に収容して包装する際に、前記包装容器に収容される物品を被包する内包装材として用いられる包装材であって、
柔軟なシート状部材にて構成され、
前記包装容器の底面の形状に対応した形状に形成された矩形状の底部と、前記底部の外周縁部における各辺から外方へ延出する延出片とを備え、
前記底部の外周縁部における四隅に、それぞれ切り込みを形成した、
ことを特徴とする包装材。
【請求項２】
前記包装材は、互いに対向する前記延出片の対を二つ備え、
前記各切り込みは、一方の前記延出片の対の延出方向と平行に形成される、
ことを特徴とする請求項１に記載の包装材。
【請求項３】
前記各延出片は、前記底部に連設され、前記包装容器の側壁面に対応する部位である側壁片と、前記側壁片から外方へ延出し、前記物品の上面を覆う部位となる蓋片とを有し、
前記蓋片の両側辺は、前記蓋片の延出方向に対して、前記側壁片側から外方側へいくに従って幅方向内側へ傾斜する傾斜辺に形成される、
ことを特徴とする請求項１または請求項２に記載の包装材。
【請求項４】
前記包装材の底部は長方形状に形成され、
前記底部の長辺方向に対向する一対の蓋片は、前記包装材により前記物品を被包した際に互いに重なり合わず、
前記底部の短辺方向に対向する一対の蓋片は、前記包装材により前記物品を被包した際に互いに重なり合う、
ことを特徴とする請求項３に記載の包装材。
【請求項５】
前記包装材は、高密度ポリエチレン、低密度ポリエチレン、直鎖状低密度ポリエチレン、ポリプロリレン、紙、または合成紙にて構成される、
ことを特徴とする請求項１〜４の何れか一項に記載の包装材。
【請求項６】
前記包装材には、色彩または模様が付されている、
ことを特徴とする請求項１〜５の何れか一項に記載の包装材。
【請求項７】
前記物品は乾麺である、
ことを特徴とする請求項１〜６の何れか一項に記載の包装材。
【考案の詳細な説明】
【技術分野】
【０００１】
本考案は、箱体に収容される物品を被包する内包装材として用いられる包装材に関する。
【背景技術】
【０００２】
従来、食品等の物品を包装容器に収容して包装する際に、前記物品を内包装材により被包した状態で、前記包装容器となる箱体に収容することが行われている。
例えば、素麺や冷麦やうどんといった乾麺等の食品を包装する場合、上面が開口した扁平な四角状の箱体に、柔軟なシート状の合成樹脂や紙等で形成される内包装材を敷設し、前記内包装材を敷設した箱体内に乾麺等の食品を並べて、並べた食品の上に前記内包装材を被せることで、内包装材により被包した状態の食品を前記箱体に収容することができる。
特許文献１には、帯状の和紙により形成された内包装材にて被包した素麺束を、箱体に収容する構成が開示されている。
【０００３】
帯状の柔軟なシート状部材にて構成される内包装材と箱体および蓋体とを用いて複数の素麺束を包装する場合は、図８に示すように、紙箱や木箱に構成される箱体２の底面２１に、底部１１１が接するように帯状の内包装材１０１をセットし、その上に複数の素麺束５・５・・・を並べる。次に、並べた素麺束５・５・・・に内包装材１０１の蓋片１１３を被せて、素麺束５・５・・・を内包装材１０１により被包する。そして、箱体２の上面開口部を平板状の蓋体３により塞ぐことで、素麺束５・５・・・を包装する。
【０００４】
また、図９に示すように、素麺束等の乾麺を箱体２に収容する際には、マチ付きの角袋等の袋状材が内包装材２０１として用いられることがある。
このように、袋状材を内包装材２０１として用いて素麺束５・５・・・の包装を行う場合は、箱体２の底面２１に、底部２１１が接するように内包装材２０１をセットし、セットした内包装材２０１の中に複数の素麺束５・５・・・を並べる。次に、内包装材２０１の上端部２１３を折り畳んで並べた素麺束５・５・・・の上に被せ、素麺束５・５・・・を内包装材２０１により被包する。そして、箱体２の上面開口部を平板状の蓋体３により塞ぐことで、素麺束５・５・・・を包装する。
【先行技術文献】
【特許文献】
【０００５】
【特許文献１】実開平７−３３８２１号公報
【考案の概要】
【考案が解決しようとする課題】
【０００６】
前述のように、帯状の内包装材１０１を用いて素麺束５・５・・・を包装する場合、内包装材１０１は柔軟なシート状部材にて構成されているので、内包装材１０１を箱体２にセットする際に、箱体２に対する内包装材１０１の位置ズレが生じ易いため、内包装材１０１の位置決めに手間取って、素麺束５・５・・・の包装作業効率が悪かった。
また、内包装材１０１に位置ズレが生じたままの状態で素麺束５・５・・・が被包されるおそれがあり、この場合には、箱体２と蓋体３との間から内包装材１０１がはみ出して、包装後の美観が損なわれてしまう。
【０００７】
また、内包装材１０１として袋状材を用いて素麺束５・５・・・を包装する場合は、素麺束５・５・・・を内包装材１０１内に並べる際に、素麺束５・５・・・を持った手を袋状の内包装材１０１の中へ奥深く入れる必要があって手間がかかり、素麺束５・５・・・の包装作業効率が悪かった。
【０００８】
そこで、本考案においては、素麺束５・５・・・の包装作業効率が良く、包装後の美観を損なうことがない包装材を提供するものである。
【課題を解決するための手段】
【０００９】
上記課題を解決する包装材は、以下の特徴を有する。
即ち、請求項１記載のごとく、物品を直方体状の包装容器に収容して包装する際に、前記包装容器に収容される物品を被包する内包装材として用いられる包装材であって、柔軟なシート状部材にて構成され、前記包装容器の底面の形状に対応した形状に形成された矩形状の底部と、前記底部の外周縁部における各辺から外方へ延出する延出片とを備え、前記底部の外周縁部における四隅に、それぞれ切り込みを形成した。
【００１０】
また、請求項２記載のごとく、前記包装材は、互いに対向する前記延出片の対を二つ備え、前記各切り込みは、一方の前記延出片の対の延出方向と平行に形成される。
【００１１】
また、請求項３記載のごとく、前記各延出片は、前記底部に連設され、前記包装容器の側壁面に対応する部位である側壁片と、前記側壁片から外方へ延出し、前記物品の上面を覆う部位となる蓋片とを有し、前記蓋片の両側辺は、前記蓋片の延出方向に対して、前記側壁片側から外方側へいくに従って幅方向内側へ傾斜する傾斜辺に形成される。
【００１２】
また、請求項４記載のごとく、前記包装材の底部は長方形状に形成され、前記底部の長辺方向に対向する一対の蓋片は、前記包装材により前記物品を被包した際に互いに重なり合わず、前記底部の短辺方向に対向する一対の蓋片は、前記包装材により前記物品を被包した際に互いに重なり合う。
【００１３】
また、請求項５記載のごとく、前記包装材は、高密度ポリエチレン、低密度ポリエチレン、直鎖状低密度ポリエチレン、ポリプロリレン、紙、または合成紙にて構成される。
【００１４】
また、請求項６記載のごとく、前記包装材には、色彩または模様が付されている。
【００１５】
また、請求項７記載のごとく、前記物品は乾麺である。
【考案の効果】
【００１６】
本考案は、以下の効果を奏する。
つまり、本考案によれば、包装材により被包される物品の包装作業効率を向上できるとともに、包装後の美観を損なうことがない
【図面の簡単な説明】
【００１７】
【図１】本考案にかかる包装材、箱体、および蓋体により包装される素麺束を示す分解斜視図である。
【図２】包装材を示す平面図である。
【図３】素麺束の包装手順を示す図である。
【図４】包装材の切り込みが形成された部分を示す斜視図である。
【図５】両側辺がテーパ状に形成された包装材の蓋片が位置ズレした場合でも、蓋片が箱体からはみ出さない様子を示す図である。
【図６】蓋片の両側辺が当該蓋片の延出方向と平行になるように形成した包装材を示す平面図である。
【図７】包装材における蓋片の両側辺が当該蓋片の延出方向と平行になるように形成した場合に前記蓋片が位置ズレすると、蓋片が箱体からはみ出す様子を示す図である。
【図８】従来の帯状に形成された包装材、箱体、および蓋体により包装される素麺束を示す分解斜視図である。
【図９】従来の袋状に形成された包装材、箱体、および蓋体により包装される素麺束を示す分解斜視図である。
【考案を実施するための形態】
【００１８】
次に、本考案を実施するための形態を、添付の図面を用いて説明する。
【００１９】
図１、図２に示す包装材１は、食品等の物品の一例としての乾麺である素麺束５・５・・・を、包装容器である箱体２に収容して包装する際に、素麺束５・５・・・を被包するための内包装材として用いられるものである。
素麺束５・５・・・は包装材１により被包された状態で箱体２に収容され、素麺束５・５・・・を収容した箱体１の開口部を蓋体３により塞ぐことで、素麺束５・５・・・が包装される。
つまり、包装材１は、素麺束５・５・・・と、素麺束５・５・・・を収容する箱体２との間に介在するものである。
【００２０】
箱体２は、上面が開口した扁平な直方体形状に形成されており、矩形状の底面２１と、底面２１における外周縁部の各辺から上方へ立ち上がる側壁２２・２２および側壁２３・２３とを有している。
本実施形態においては、底面２１は長方形状に形成されており、側壁２２・２２は底面２１の短辺から上方に立ち上がる側壁であり、側壁２３・２３は底面２１の長辺から上方に立ち上がる側壁である。
【００２１】
図２に示すように、包装材１は、箱体２の底面２１の形状に対応した形状に形成された矩形状の底部１１と、底部１１の外周縁部における各辺から外方へ延出する延出片１２・１２・１３・１３とを備えている。
本実施形態においては、底部１１は、長方形状に形成されており、延出片１２・１２は底部１１の短辺から外方に延出する延出片であり、延出片１３・１３は底部１１の長辺から外方に延出する延出片である。
【００２２】
前記各延出片１２・１２・１３・１３は、底部１１に連設され、箱体２における側壁２２・２２・２３・２３の内壁面に対応する部位である側壁片１２ａ・１２ａ・１３ａ・１３ａと、各側壁片１２ａ・１２ａ・１３ａ・１３ａからそれぞれ外方へ延出する蓋片１２ｂ・１２ｂ・１３ｂ・１３ｂとを有している。
【００２３】
各側壁片１２ａ・１２ａ・１３ａ・１３ａは、矩形状に形成されている。
各蓋片１２ｂ・１２ｂ・１３ｂ・１３ｂの両側辺（蓋片１２ｂ・１２ｂ・１３ｂ・１３ｂの延出方向と直交する方向を幅方向とした場合の、幅方向両側の辺）１２ｃ・１２ｃ・１３ｃ・１３ｃは、蓋片１２ｂ・１２ｂ・１３ｂ・１３ｂの延出方向に対して、側壁片１２ａ・１２ａ・１３ａ・１３ａ側から外方側へいくに従って前記幅方向内側へ傾斜する傾斜辺に形成されている。従って、蓋片１２ｂ・１２ｂ・１３ｂ・１３ｂは、その幅寸法が側壁片１２ａ・１２ａ・１３ａ・１３ａ側から外方側へいくに従って小さくなる、テーパ形状に形成されている。
また、蓋片１２ｂ・１２ｂは、底部１１の長辺方向において互いに対向する一対の蓋片であり、蓋片１３ｂ・１３ｂは、底部１１の短辺方向において互いに対向する一対の蓋片である。
【００２４】
また、包装材１においては、底部１１の外周縁部における四隅に、それぞれ切り込み１４・１４・１４・１４が形成されている。切り込み１４・１４・１４・１４は、蓋片１２ｂ・１２ｂの延出方向と平行に形成されている。
つまり、本実施形態においては、切り込み１４・１４・１４・１４は、側壁片１３ａ・１３ａが連設される底部１１の長辺側の外周縁部に沿って、前記長辺側の外周縁部の両端部から内側方向へ形成されている。
なお、本実施形態では、切り込み１４・１４・１４・１４は、蓋片１２ｂ・１２ｂの延出方向と平行に形成されているが、蓋片１３ｂ・１３ｂの延出方向と平行に形成することも可能である。
また、切り込み１４・１４・１４・１４は、底部１１の外周縁部における四隅から底部１１の内側へ、蓋片１２ｂ・１２ｂの延出方向または蓋片１３ｂ・１３ｂの延出方向に対して傾斜した方向に形成することも可能である。
【００２５】
また、包装材１は、柔軟な薄手のシート状（フィルム状）の合成樹脂や、紙や、合成紙等により構成されている。ここで、「柔軟な」とは、例えば、上下方向に立てた状態のシート状部材の下端部を支持した場合に、支持した部分よりも上方の部位が自重により下方へ屈曲して、自立姿勢を保持できない程度の剛性しか有していない特性のことをいう。
【００２６】
包装材１を構成するシート状の合成樹脂としては、例えばＨＤＰＥ（Ｈｉｇｈ  Ｄｅｎｓｉｔｙ  Ｐｏｌｙｅｔｈｙｌｅｎｅ：高密度ポリエチレン）、Ｌ−ＬＤＰＥ（Ｌｉｎｅａｒ  Ｌｏｗ  Ｄｅｎｓｉｔｙ  Ｐｏｌｙｅｔｈｙｌｅｎｅ：直鎖状低密度ポリエチレン）、ＬＤＰＥ（Ｌｏｗ  Ｄｅｎｓｉｔｙ  Ｐｏｌｙｅｔｈｙｌｅｎｅ：低密度ポリエチレン）、およびＰＰ（ｐｏｌｙｐｒｏｐｙｌｅｎｅ：ポリプロリレン）を用いることができる。包装材１を構成するシート状部材をこれらの合成樹脂により構成した場合は、前記シート状部材に静電気防止材を添加して、素麺束５・５・・・を包装材１により被包した際に、静電気が発生することを抑制することができる。
また、紙とは、植物繊維その他の繊維を膠着させて製造したシート状部材といい、合成紙とは、合成樹脂を主原料として製造された紙をいう。
【００２７】
包装材１は、前述のシート状部材を、所望の型形状に構成したトムソン型により抜き加工することにより形成することができる。
また、シート状部材を抜き加工する際には、複数枚のシート状部材を重ね合わせた状態で抜き加工することで、包装材１の製造効率を高めることができる。
【００２８】
なお、図１における２点鎖線は、側壁片１２ａ・１２ａ・１３ａ・１３ａと蓋片１２ｂ・１２ｂ・１３ｂ・１３ｂとの境界を示すために便宜的に記したものであり、図２における２点鎖線は、底部１１と側壁片１２ａ・１２ａ・１３ａ・１３ａ、および側壁片１２ａ・１２ａ・１３ａ・１３ａと蓋片１２ｂ・１２ｂ・１３ｂ・１３ｂとの境界を示すために便宜的に記したものである。
また、後述するように、底部１１と側壁片１２ａ・１２ａ・１３ａ・１３ａとの境界部は、包装材１を箱体２にセットする際に、予め折り曲げておくことが好ましい。
【００２９】
このように構成される包装材１、および箱体２を用いて素麺束５・５・・・を包装する場合には、以下のような手順にて行う。
まず、図３（ａ）に示すように、包装材１を箱体２にセットする。この場合、包装材１は、底部１１と側壁片１２ａ・１２ａ・１３ａ・１３ａとの境界部（底部１１の外周縁部）にて、側壁片１２ａ・１２ａ・１３ａ・１３ａが内側に折り曲げられた状態でセットされる。
箱体２にセットされた包装材１の底部１１は、箱体２の底面２１と接しており、包装材１の側壁片１２ａ・１２ａ・１３ａ・１３ａは、箱体２の側壁２２・２２・２３・２３とそれぞれ対向している。
【００３０】
包装材１の底部１１は、箱体２の底面２１の大きさに合わせて形成されているので、包装材１は、箱体２に対する位置決めがなされた状態でセットすることができる。
また、図４に示すように、包装材１の底部１１の外周縁部における四隅には切り込み１４・１４・１４・１４が形成されているので、包装材１における底部１１の外周縁部の折り曲げ位置に誤差が生じていて、包装材１と箱体２とが干渉したりした場合でも、
切り込み１４・１４・１４・１４が形成されている部分の底部１１が適宜屈曲するなどして、収まり良く包装材1を箱体２にセットすることが可能となっている。
【００３１】
さらに、包装材１は柔軟なシート状部材にて構成されているので、包装材１を箱体２にセットした場合には、箱体２から外方へ延出する蓋片１２ｂ・１２ｂ・１３ｂ・１３ｂは自立することなく外側下方へ屈曲して垂れ下がるが（図３（ａ）参照）、この場合にも切り込み１４・１４・１４・１４が形成されている部分の底部１１が適宜屈曲するなどして、底部１１の外周縁部にかかる応力を緩和することができ、セットした包装材１が箱体２に対して位置ズレすることが防止される。
これにより、包装材１による素麺束５・５・・・の被包状態を良好に保つことができ、素麺束５・５・・・の包装後の美観を損ねることがない。
【００３２】
図３（ｂ）に示すように、包装材１を箱体２にセットした後は、セットされた包装材１内に複数の素麺束５・５・・・を並べて収納していく。
この場合、箱体２から外方へ延出する蓋片１２ｂ・１２ｂ・１３ｂ・１３ｂは、箱体２の外側下方へ屈曲して垂れ下がっているため、包装材１の深さが箱体２と同様に浅くなっているため、素麺束５・５・・・が並べ易く、作業効率を向上することが可能となっている。
【００３３】
素麺束５・５・・・を包装材１内に並べ終わると、包装材１の蓋片１２ｂ・１２ｂを内側に折り曲げて、素麺束５・５・・・の上方を蓋片１２ｂ・１２ｂにより覆う（図３（ｂ）参照）。即ち、蓋片１２ｂ・１２ｂは、包装材１において素麺束５・５・・・の上面を覆う部位である。
また、この場合、内側に折り曲げた蓋片１２ｂ・１２ｂは、互いに重なり合わない程度の（延出方向の）長さに形成されている。各蓋片１２ｂ・１２ｂの延出方向の長さは、例えば箱体２の底面２１における長辺方向の長さの略３分の１程度の長さとなるように設定されている。従って、全体として、包装材１内に並べられた素麺束５・５・・・の上面の３分の２程度の面積が蓋片１２ｂ・１２ｂにより覆われることとなる。
【００３４】
次に、図３（ｃ）に示すように、包装材１の蓋片１３ｂ・１３ｂを内側に折り曲げて、素麺束５・５・・・の上方を蓋片１３ｂ・１３ｂにより覆う。即ち、蓋片１３ｂ・１３ｂは、包装材１において素麺束５・５・・・の上面を覆う部位である。
また、この場合、内側に折り曲げた蓋片１３ｂ・１３ｂは、互いに重なり合うような（延出方向の）長さに形成されている。各蓋片１３ｂ・１３ｂの延出方向の長さは、例えば互いに重なり合う寸法が、箱体２の底面２１における短辺方向の長さの半分程度の長さとなるように設定されている。
【００３５】
このように、包装材１の蓋片１３ｂ・１３ｂは、素麺束５・５・・・の上面を覆った場合に、互いに重なり合うように構成されているので、素麺束５・５・・・の上面を全体的に覆うことができる。これにより、素麺束５・５・・・の上面が露出することがなく、素麺束５・５・・・を確実に被包することが可能となっている。
また、蓋片１３ｂ・１３ｂを互いに重なり合うように構成することで、蓋片１２ｂ・１２ｂを互いに重なり合わないように構成したとしても、素麺束５・５・・・を全体的に被包することが可能となり、蓋片１２ｂ・１２ｂの長さを無駄に長くすることなく、素麺束５・５・・・の取り出し易さを向上することができるとともに、包装材１を製造する際のシート状部材の使用量を減少することができる。
また、包装材１は、乾麺である素麺束５・５・・・を、露出部分がないように全体的に被包することができるので、包装された素麺束５・５・・・の品質を長期間にわたって保持することが可能となっている。
【００３６】
また、図５（ａ）に示すように（図５には蓋片１３ｂ・１３ｂのみを図示している）、各蓋片１２ｂ・１２ｂ・１３ｂ・１３ｂの両側辺１２ｃ・１２ｃ・１３ｃ・１３ｃは、側壁片１２ａ・１２ａ・１３ａ・１３ａ側から外方側へいくに従って前記幅方向内側へ傾斜するテーパ状に形成されている。
【００３７】
図５（ｂ）に示すように、内側へ折り曲げられて素麺束５・５・・・の上面を覆っている蓋片１３ｂが、包装材１に生じた静電気等により、位置ズレした状態で固定された場合でも（図５（ｂ）においては、蓋片１３ｂの先端の辺が箱体２の長辺方向に対して斜めにずれた状態となっている）、蓋片１３ｂの幅方向端部（両側辺の近傍部分）が箱体２の外方へはみ出ることがない。
従って、このように素麺束５・５・・・の上面を覆う蓋片１３ｂが位置ズレした状態で、蓋体３により箱体２の上面開口部を塞いだとしても、素麺束５・５・・・の包装状態が、箱体２から蓋片１３ｂがはみ出た状態となることがなく、素麺束５・５・・・の包装後の美観を損なうことがない。
【００３８】
また、蓋片１２ｂ・１２ｂの場合も同様に、位置ズレした状態で素麺束５・５・・・の上面を覆っていたとしても、蓋片１２ｂ・１２ｂの上方にて素麺束５・５・・・を覆う蓋片１３ｂ・１３ｂと干渉することがなく、包装材１による素麺束５・５・・・の被包状態を良好に保つことができる。
【００３９】
一方、図６、図７（ａ）に示す包装材６のように、蓋片６２ｂ・６２ｂ・６３ｂ・６３ｂの両側辺６２ｃ・６２ｃ・６３ｃ・６３ｃが、蓋片６２ｂ・６２ｂ・６３ｂ・６３ｂの延出方向と平行になるように形成した場合（両側辺６２ｃ・６２ｃ・６３ｃ・６３ｃを前述のようなテーパ状に形成しない場合）は、例えば図７（ｂ）に示すように、素麺束５・５・・・の上面を覆っている蓋片６３ｂが位置ズレした状態で固定されると、蓋片６３ｂの幅方向端部（両側辺の近傍部分）が箱体２の外方へはみ出ることとなる。
このように素麺束５・５・・・の上面を覆う蓋片６３ｂが位置ズレした状態で、蓋体３により箱体２の上面開口部を塞ぐと、素麺束５・５・・・の包装状態が、箱体２から蓋片６３ｂがはみ出た状態となり、素麺束５・５・・・の包装後の美観が損なわれてしまう。
【００４０】
なお、図６に示す包装材６の底部６１、延出片６２・６２・６３・６３、側壁片６２ａ・６２ａ・６３ａ・６３ａ、蓋片６２ｂ・６２ｂ・６３ｂ・６３ｂ、および切り込み６４・６４・６４・６４は、包装材１の底部１１、延出片１２・１２・１３・１３、側壁片１２ａ・１２ａ・１３ａ・１３ａ、蓋片１２ｂ・１２ｂ・１３ｂ・１３ｂ、および切り込み１４・１４・１４・１４と、それぞれ同様の構成であるため、その説明は省略する。
【００４１】
このように、本実施形態の包装材１のごとく、蓋片１２ｂ・１２ｂ・１３ｂ・１３ｂの両側辺１２ｃ・１２ｃ・１３ｃ・１３ｃをテーパ形状とすることで、素麺束５・５・・・の包装後における美観向上の効果を顕著に奏することが可能となっている。
【００４２】
また、包装材１は、代表的には白色や乳白色に彩色することができるが、これに限らず種々の色相、明度、および彩度を有した色彩に着色することができる。さらに、透明、半透明、不透明等、各色彩の透明度も適宜設定することができる。
また、包装材１には、適宜の模様や柄、文字等を付することもできる。
このような、色彩や模様等の付加は、印刷や、包装材１を構成するシート状部材の原料に着色材を混入すること等により行うことができる。
【００４３】
また、本実施形態においては、包装材１により被包される物品として乾麺である素麺束５・５・・・を例に挙げているが、前記物品を冷麦やうどんや蕎麦等、他の乾麺とすることもでき、さらに他の食品とすることも可能である。
【符号の説明】
【００４４】
１    包装材
２    箱体
３    蓋体
５    素麺束
１１    底部
１２・１３  延出片
１２ａ・１３ａ  側壁片
１２ｂ・１３ｂ  蓋片
１２ｃ・１３ｃ  側辺
１４    切り込み
２１    底面
２２・２３    側壁
【図１】
0003175928.tif 000003
【図２】
0003175928.tif 000004
【図３】
0003175928.tif 000005
【図４】
0003175928.tif 000006
【図５】
0003175928.tif 000007
【図６】
0003175928.tif 000008
【図７】
0003175928.tif 000009
【図８】
0003175928.tif 000010
【図９】
0003175928.tif 000011